(57)【要約】【課題】  筐体を構成する複数の筐体部品だけで構成できるネジ等の締結部品が不要であり、かつ、脱着に係わる複数の筐体部品がスライド構造で連結するスライド式脱着構造を提供する。【解決手段】  カバー２が装着される面の第一の端部にベース３とカバー２を連結すると共に、カバー２を外す際にスライドするスライド連結構造を形成し、カバー２が装着される面の前記第一の端部と対向する第二の端部のベース側またはカバー側に人の指が挿入できる嵌合穴２０，２１を形成し、前記嵌合穴と対向する部位の前記カバー側または前記ベース側に前記嵌合穴と嵌合する嵌合爪３０，３１を形成し、前記スライド連結構造は、前記嵌合穴と前記嵌合爪が嵌合していない状態において、所定の方向にスライドできる構造であることを特徴とする。【選択図】図４
2016012700.tif 000002
【特許請求の範囲】
【請求項１】
ベースと前記ベースの所定の面を塞ぐカバーから構成される装置における前記カバーの脱着構造であって、
前記カバーが装着される面の第一の端部に前記ベースと前記カバーを連結すると共に、前記カバーを外す際にスライドするスライド連結構造を形成し、
前記カバーが装着される面の前記第一の端部と対向する第二の端部の前記ベース側または前記カバー側に人の指が挿入できる所定のサイズ以上の略半円または略円状の嵌合穴を形成し、
前記嵌合穴と対向する部位の前記カバー側または前記ベース側に弾性変形機能を有する基材に形成された前記嵌合穴と嵌合する略半円または略円状の嵌合爪を形成し、
前記スライド連結構造は、前記嵌合穴と前記嵌合爪が嵌合していない状態において、所定の方向にスライドできる構造であることを特徴とするスライド式カバー脱着構造。
【発明の詳細な説明】
【技術分野】
【０００１】
本発明は、スライド式カバー脱着構造に関する。
【背景技術】
【０００２】
電子機器などの筐体は、複数の筐体部品から構成され、メンテナンス時などそれら筐体部品を外し点検や部品交換などするための筐体部品の脱着構造が設けられているのが一般的である（例えば、特許文献１）。
【０００３】
しかしながら、特許文献１に記載された筐体部品の脱着構造は、筐体を構成する筐体部品以外に筐体部品の脱着構造を構成するためのネジ等の締結部品を必要とし、その分、メンテナンス時などそれら締結部品を外す工程があり作業が手間取るという問題がある。
【０００４】
また、筐体部品が別個に外れるため特に高所で作業する際は、外した筐体部品の落下の危険性や机などの安定した場所に下ろして次の作業に取り掛かる必要があるといった作業効率が悪いという問題がある。
【先行技術文献】
【特許文献】
【０００５】
【特許文献１】特開２０１２−２５６８０５号公報
【発明の概要】
【発明が解決しようとする課題】
【０００６】
そこで、本発明は筐体を構成する複数の筐体部品だけで構成できるネジ等の締結部品が不要であり、かつ、脱着に係わる複数の筐体部品がスライド構造で連結するスライド式脱着構造を提供することにある。
【課題を解決するための手段】
【０００７】
上記の課題を解決するために、本発明は、ベースと前記ベースの所定の面を塞ぐカバーから構成される装置における前記カバーの脱着構造であって、前記カバーが装着される面の第一の端部に前記ベースと前記カバーを連結すると共に、前記カバーを外す際にスライドするスライド連結構造を形成し、前記カバーが装着される面の前記第一の端部と対向する第二の端部の前記ベース側または前記カバー側に人の指が挿入できる所定のサイズ以上の略半円または略円状の嵌合穴を形成し、前記嵌合穴と対向する部位の前記カバー側または前記ベース側に弾性変形機能を有する基材に形成された前記嵌合穴と嵌合する略半円または略円状の嵌合爪を形成し、前記スライド連結構造は、前記嵌合穴と前記嵌合爪が嵌合していない状態において、所定の方向にスライドできる構造であることを特徴とする。
【発明の効果】
【０００８】
本発明によれば、筐体を構成する複数の筐体部品だけで構成できるネジ等の締結部品が不要であり、かつ、脱着に係わる複数の筐体部品がスライド構造で連結するスライド式脱着構造を提供できる。
【図面の簡単な説明】
【０００９】
【図１】本発明の実施の一形態に係る電子機器を示す斜視図
【図２】図１の状態からベースをはずした状態を示す図
【図３】図１の状態からカバーをはずした状態を示す図
【図４】カバーとベースの嵌合を示す図１のＡ−Ａ線断面図
【図５】カバーとベースの嵌合を示す図１のＢ−Ｂ線断面図
【発明を実施するための形態】
【００１０】
以下に、電子機器を例に、図面を参照しながら、本発明の実施の一形態について説明する。ただし、以下の説明は、あくまでも本発明の例示にすぎず、以下の記載によって発明の技術的範囲が限定されるものではない。
【００１１】
図１は、本発明の実施の一形態に係る電子機器１を示す斜視図である。電子機器１の筐体を構成するカバー２と、電子機器１の筐体を構成するベース３から成る構造を表している。複数の筐体部品から構成される筐体におけるネジ止めが不要であり、かつ、脱着に係わる複数の筐体部品がスライド構造で連結するスライド式脱着構造について、以下で説明する。
【００１２】
図２は、図１の状態からベース３をはずした状態を示す図である。カバー２の上部側面に人の指が挿入できる所定のサイズ以上の略半円状の嵌合穴２０、２１を有する。なお、嵌合穴２０、２１は、２箇所設けているが、筐体のサイズ等に応じて数は問わない。また、設置個所については本発明の趣旨を阻害しないものであれば、これに限定されないものとする。
【００１３】
カバー２の下部内面に基材に形成された略円状のスライド軸２２、２３を有する。なお、スライド軸２２、２３は、２箇所設けているが、筐体のサイズ等に応じて数は問わない。また、設置個所については本発明の趣旨を阻害しないものであれば、これに限定されないものとする。
【００１４】
前述のカバー２の下部内面に基材に形成された略円状の嵌合穴２４、２５を有する。なお、嵌合穴２４、２５は、２箇所設けているが、筐体のサイズ等に応じて数は問わない。また、設置個所については本発明の趣旨を阻害しないものであれば、これに限定されないものとする。
【００１５】
図３は、図１の状態からカバー２をはずした状態を示す図である。ベース３には前述の嵌合穴２０、２１と対向する部位に弾性変形機能を有する基材に形成された前述の嵌合穴２０、２１と嵌合する略半円状の嵌合爪３０、３１を有する。なお、嵌合爪３０、３１は、２箇所設けているが、筐体のサイズ等に応じて数は問わない。また、設置個所については本発明の趣旨を阻害しないものであれば、これに限定されないものとする。
【００１６】
前述のスライド軸２２、２３と対向する部位に基材に形成された前述のスライド軸２２、２３とスライド自在に嵌合する略長円状のスライド穴３２、３３を有する。なお、設置個所については本発明の趣旨を阻害しないものであれば、これに限定されないものとする。
【００１７】
前述の嵌合穴２４、２５と対向する部位に前述の弾性変形機能を有する基材に形成された前述の嵌合穴２４、２５と嵌合する略円状の嵌合軸３４、３５を有する。なお、設置個所については本発明の趣旨を阻害しないものであれば、これに限定されないものとする。
【００１８】
図４は、カバー２とベース３の嵌合を示す図１のＡ−Ａ線断面図である。嵌合穴２１に嵌合爪３１を嵌合した状態を表している。嵌合穴２０に嵌合爪３０を嵌合した状態も同様である（図示せず）。
【００１９】
図５は、カバー２とベース３の嵌合を示す図１のＢ−Ｂ線断面図である。スライド軸２３がスライド穴３３に嵌合した状態を表している。スライド軸２２がスライド穴３２に嵌合した状態も同様である（図示せず）。
また、嵌合軸３５が嵌合穴２５に嵌合した状態を表している。嵌合軸３４が嵌合穴２４に嵌合した状態も同様である（図示せず）。
【００２０】
なお、上記一実施例では、筐体の上部に嵌合穴２０、２１および嵌合爪３０、３１を有し、筐体の下部にスライド軸２２、２３、スライド穴３２、３３および嵌合穴２４、２５、嵌合軸３４、３５を有する場合について説明したが、筐体の上部にスライド軸２２、２３、スライド穴３２、３３および嵌合穴２４、２５、嵌合軸３４、３５を有し、筐体の下部に嵌合穴２０、２１および嵌合爪３０、３１を有する場合も同様である（図示せず）。
【００２１】
また、カバー２に嵌合穴２０、２１、スライド軸２２、２３、嵌合穴２４、２５を有し、ベース３に嵌合爪３０、３１、スライド穴３２、３３、嵌合軸３４、３５を有する場合について説明したが、カバー２に嵌合爪３０、３１、スライド穴３２、３３、嵌合軸３４、３５を有し、ベース３に嵌合穴２０、２１、スライド軸２２、２３、嵌合穴２４、２５を有する場合も同様である（図示せず）。
【００２２】
以上説明した通り、本発明によれば、筐体を構成する複数の筐体部品だけで構成できるネジ等の締結部品が不要であり、かつ、脱着に係わる複数の筐体部品がスライド構造で連結するスライド式脱着構造を提供できる。
【００２３】
なお、実施の一形態においては、電子機器を例に説明したが、本発明の構造は、複数の筐体部品から構成される筐体一般に適用可能であり、電子機器以外に、特にネジ等の締結部品が不要な筐体部品の脱着性を求められる機器にも適している。
【符号の説明】
【００２４】
１…電子機器、２…カバー、３…ベース、２０…嵌合穴、２１…嵌合穴、２２…スライド軸、２３…スライド軸、２４…嵌合穴、２５…嵌合穴、３０…嵌合爪、３１…嵌合爪、３２…スライド穴、３３…スライド穴、３４…嵌合軸、３５…嵌合軸
【図１】
2016012700.tif 000003
【図２】
2016012700.tif 000004
【図３】
2016012700.tif 000005
【図４】
2016012700.tif 000006
【図５】
2016012700.tif 000007